(57)【要約】本発明は、マイクロリソグラフィ投影露光装置用のミラー、及びデフォーマブルミラーの作動方法に関する。本発明の一態様によれば、ミラーは、ミラー基板（１２）と、光学有効面（１１）に入射した電磁放射を反射する反射積層体（２１）と、少なくとも１つの圧電層（１６）であり、ミラー基板（１２）と反射積層体（２１）との間に配置され、圧電層（１６）に対して反射積層体（２１）側に位置する第１電極装置及び圧電層（１６）に対してミラー基板（１２）側に位置する第２電極装置により局所的に可変の変形を発生させる電界を印加されることが可能な少なくとも１つの圧電層（１６）とを備え、上記圧電層（１６）は、カラム境界により相互に空間的に分離された複数のカラムを有し、当該カラムの平均カラム径が０．１μｍ〜５０μｍの範囲にある。
2021531510.tif 000002
【特許請求の範囲】
【請求項１】
光学有効面（１１）を有する、マイクロリソグラフィ投影露光装置用のミラーであって、
ミラー基板（１２）と、
前記光学有効面（１１）に入射した電磁放射を反射する反射積層体（２１）と、
少なくとも１つの圧電層（１６）であり、前記ミラー基板（１２）と前記反射積層体（２１）との間に配置され、圧電層（１６）に対して前記反射積層体（２１）側に位置する第１電極装置及び圧電層（１６）に対して前記ミラー基板（１２）側に位置する第２電極装置により局所的に可変の変形を発生させる電界を印加されることが可能な少なくとも１つの圧電層（１６）と
を備え、前記圧電層（１６）は、カラム境界により相互に空間的に分離された複数のカラムを有し、
前記カラムの平均カラム径が、０．１μｍ〜５０μｍの範囲にあるミラー。
【請求項２】
請求項１に記載のミラーにおいて、それぞれ相互に隣接するカラムの平均カラム間隔は、平均カラム径の２％〜３０％の範囲にあることを特徴とするミラー。
【請求項３】
光学有効面（１１）を有する、マイクロリソグラフィ投影露光装置用のミラーであって、
ミラー基板（１２）と、
前記光学有効面（１１）に入射した電磁放射を反射する反射積層体（２１）と、
少なくとも１つの圧電層（１６）であり、前記ミラー基板（１２）と前記反射積層体（２１）との間に配置され、圧電層（１６）に対して前記反射積層体（２１）側に位置する第１電極装置及び圧電層（１６）に対して前記ミラー基板（１２）側に位置する第２電極装置により局所的に可変の変形を発生させる電界を印加されることが可能な少なくとも１つの圧電層（１６）と
を備え、前記圧電層（１６）は、カラム境界により相互に空間的に分離された複数のカラムを有し、
前記カラムの平均カラム間隔が、平均カラム径の２％〜３０％の範囲にあるミラー。
【請求項４】
請求項１〜３のいずれか１項に記載のミラーにおいて、前記カラムの平均カラム径と高さとの比が、５０：１〜１：２００の範囲、特に１０：１〜１：１０の範囲にあることを特徴とするミラー。
【請求項５】
光学有効面（１１）を有する、マイクロリソグラフィ投影露光装置用のミラーであって、
ミラー基板（１２）と、
前記光学有効面（１１）に入射した電磁放射を反射する反射積層体（２１）と、
少なくとも１つの圧電層（１６）であり、前記ミラー基板（１２）と前記反射積層体（２１）との間に配置され、圧電層（１６）に対して前記反射積層体（２１）側に位置する第１電極装置及び圧電層（１６）に対して前記ミラー基板（１２）側に位置する第２電極装置により局所的に可変の変形を発生させる電界を印加されることが可能な少なくとも１つの圧電層（１６）と
を備え、前記圧電層（１６）は、カラム境界により相互に空間的に分離された複数のカラムを有し、
前記カラムの平均カラム径と高さとの比が、５０：１〜１：２００の範囲、特に１０：１〜１：１０の範囲にあるミラー。
【請求項６】
請求項５に記載のミラーにおいて、前記カラムの平均カラム径と高さとの比が、１０：１〜１：１０の範囲にあることを特徴とするミラー。
【請求項７】
請求項１〜６のいずれか１項に記載のミラーにおいて、前記圧電層（１６）は、平均カラム径に関して３０％以上相互に異なる少なくとも２つの領域を有することを特徴とするミラー。
【請求項８】
光学有効面（１１）を有する、マイクロリソグラフィ投影露光装置用のミラーであって、
ミラー基板（１２）と、
前記光学有効面（１１）に入射した電磁放射を反射する反射積層体（２１）と、
少なくとも１つの圧電層（１６、３０、４０）であり、前記ミラー基板（１２）と前記反射積層体（２１）との間に配置され、圧電層（１６、３０、４０）に対して前記反射積層体（２１）側に位置する第１電極装置及び圧電層（１６、３０、４０）に対して前記ミラー基板（１２）側に位置する第２電極装置により局所的に可変の変形を発生させる電界を印加されることが可能な少なくとも１つの圧電層（１６、３０、４０）と
を備え、前記圧電層（１６、３０、４０）は、カラム境界により相互に空間的に分離された複数のカラムを有し、
前記圧電層（１６、３０、４０）は、平均カラム径に関して３０％以上相互に異なる少なくとも２つの領域を有することを特徴とするミラー。
【請求項９】
請求項１〜８のいずれか１項に記載のミラーにおいて、前記圧電層（１６、３０、４０）は、平均カラム径に関して４０％以上、より詳細には５０％以上相互に異なる少なくとも２つの領域を有することを特徴とするミラー。
【請求項１０】
請求項７〜９のいずれか１項に記載のミラーにおいて、前記２つの領域は、前記圧電層（１６）の異なる層プライに対応し、前記層プライの第１層プライ（４１）が、前記層プライの第２層プライ（４２）よりも前記ミラー基板の近くに配置されることを特徴とするミラー。
【請求項１１】
請求項１０に記載のミラーにおいて、前記第１層プライ（４１）は、平均カラム径が小さい方の領域を有することを特徴とするミラー。
【請求項１２】
請求項７〜１１のいずれか１項に記載のミラーにおいて、前記２つの領域は、前記圧電層（１６）の同一の層プライ内に位置し且つ相互に横方向に分離された領域（３１、３２）であることを特徴とするミラー。
【請求項１３】
請求項１〜１２のいずれか１項に記載のミラーにおいて、前記圧電層（１６、３０、４０）は、平均カラム間隔に関して１０％以上、特に２０％以上相互に異なる少なくとも２つの領域を有することを特徴とするミラー。
【請求項１４】
光学有効面（１１）を有する、マイクロリソグラフィ投影露光装置用のミラーであって、
ミラー基板（１２）と、
前記光学有効面（１１）に入射した電磁放射を反射する反射積層体（２１）と、
少なくとも１つの圧電層（１６、３０、４０）であり、前記ミラー基板（１２）と前記反射積層体（２１）との間に配置され、圧電層（１６、３０、４０）に対して前記反射積層体（２１）側に位置する第１電極装置及び圧電層（１６、３０、４０）に対して前記ミラー基板（１２）側に位置する第２電極装置により局所的に可変の変形を発生させる電界を印加されることが可能な少なくとも１つの圧電層（１６、３０、４０）と
を備え、前記圧電層（１６、３０、４０）は、カラム境界により相互に空間的に分離された複数のカラムを有し、
前記圧電層（１６、３０、４０）は、平均カラム間隔に関して１０％以上相互に異なる少なくとも２つの領域を有するミラー。
【請求項１５】
請求項１４に記載のミラーにおいて、前記圧電層（１６、３０、４０）は、平均カラム間隔に関して２０％以上相互に異なる少なくとも２つの領域を有することを特徴とするミラー。
【請求項１６】
請求項１〜１５のいずれか１項に記載のミラーにおいて、該ミラーは、３０ｎｍ未満、特に１５ｎｍ未満の作動波長用に設計されることを特徴とするミラー。
【請求項１７】
請求項１〜１６のいずれか１項に記載のミラーにおいて、前記ミラーは、マイクロリソグラフィ投影露光装置用のミラーであることを特徴とするミラー。
【請求項１８】
ミラー基板（１２）と、
前記光学有効面（１１）に入射した電磁放射を反射する反射積層体（２１）と、
少なくとも１つの圧電層（１６）であり、前記ミラー基板（１２）と前記反射積層体（２１）との間に配置され、圧電層（１６、３０、４０）に対して前記反射積層体（２１）側に位置する第１電極装置（２０）及び圧電層（１６、３０、４０）に対して前記ミラー基板（１２）側に位置する第２電極装置（１４）により局所的に可変の変形を発生させる電界を印加されることが可能な少なくとも１つの圧電層（１６）と
を備えた、デフォーマブルミラーの作動方法であって、
ａ）前記ミラーの変形挙動に対する予想ヒステリシス寄与を決定するステップであって、前記ヒステリシス寄与により、前記第１電極装置（２０）及び／又は前記第２電極装置（１４）への所定の電圧分布Ｕ（ｘ，ｙ）の印加時の前記光学有効面（１１）に対する表面法線に沿った前記圧電層（１６、３０、４０）の線膨張が、前記圧電層（１６、３０、４０）の該当線膨張係数ｄ３３（ｘ，ｙ）と電圧の各値との積からずれるステップと、
ｂ）前記ヒステリシス寄与が少なくとも部分的に補償されるように前記第１電極装置（２０）及び／又は前記第２電極装置（１４）に修正電圧分布を印加するステップと
を含むことを特徴とする方法。
【請求項１９】
請求項１８に記載の方法において、前記予想ヒステリシス寄与を、前記ミラーのヒステリシス挙動を予め測定した後にモデルベースで決定することを特徴とする方法。
【請求項２０】
請求項１８又は１９に記載の方法において、前記予想ヒステリシス寄与を、前記圧電層（１６、３０、４０）の誘電率の測定に基づいて決定することを特徴とする方法。
【請求項２１】
請求項１８〜２０のいずれか１項に記載の方法において、該方法は、前記第１電極装置（２０）及び／又は前記第２電極装置（１４）にバイアス電圧を印加するステップを含むことを特徴とする方法。
【請求項２２】
請求項１８〜２１のいずれか１項に記載の方法において、前記圧電層のワイス磁区を整列させる目的で前記ミラーの起動前又は／及び少なくとも１回の作動休止中に前記光学有効面に対する表面法線の方向に沿って単極交番電界を発生させることを特徴とする方法。
【請求項２３】
ミラー基板（１２）と、
前記光学有効面（１１）に入射した電磁放射を反射する反射積層体（２１）と、
少なくとも１つの圧電層（１６）であり、前記ミラー基板（１２）と前記反射積層体（２１）との間に配置され、前記圧電層（１６、３０、４０）に対して前記反射積層体（２１）側に位置する第１電極装置（２０）及び前記圧電層（１６、３０、４０）に対して前記ミラー基板（１２）側に位置する第２電極装置（１４）により局所的に可変の変形を発生させる電界を印加されることが可能な少なくとも１つの圧電層（１６）と
を備えた、デフォーマブルミラーの作動方法であって、
前記圧電層のワイス磁区を整列させる目的で前記ミラーの起動前又は／及び少なくとも１回の作動休止中に前記光学有効面に対する表面法線の方向に沿って単極交番電界を発生させることを特徴とする方法。
【請求項２４】
マイクロリソグラフィ投影露光装置の照明系であって、該光学系は請求項１〜１７のいずれか１項に記載のミラーを備えることを特徴とする照明系。
【請求項２５】
マイクロリソグラフィ投影露光装置の投影レンズであって、該光学系は請求項１〜１７のいずれか１項に記載のミラーを備えることを特徴とする投影レンズ。
【請求項２６】
照明装置及び投影レンズを備えたマイクロリソグラフィ投影露光装置（４００）であって、請求項２５に記載の光学系を備えることを特徴とするマイクロリソグラフィ投影露光装置。
【発明の詳細な説明】
【技術分野】
【０００１】
本願は、２０１８年７月２６日に出願された独国特許出願第１０  ２０１８  ２１２  ５０８．２号の優先権を主張する。この独国出願の内容を、参照により本願の本文にも援用する。
【０００２】
本発明は、マイクロリソグラフィ投影露光装置用のミラー、及びデフォーマブルミラーの作動方法に関する。
【背景技術】
【０００３】
マイクロリソグラフィは、例えば集積回路又はＬＣＤ等の微細構造コンポーネントの製造に用いられる。マイクロリソグラフィプロセスは、照明装置及び投影レンズを備えたいわゆる投影露光装置で実行される。この場合、照明装置により照明されたマスク（レチクル）の像を、投影レンズにより、感光層（フォトレジスト）で被覆されて投影レンズの像平面に配置された基板（例えばシリコンウェーハ）に投影することで、マスク構造を基板の感光コーティングに転写するようにする。
【０００４】
ＥＵＶ領域用に設計した投影レンズでは、すなわち例えば約１３ｎｍ又は７ｎｍの波長では、適当な光透過屈折材料が利用可能でないことにより、ミラーを結像プロセス用の光学コンポーネントとして用いる。
【０００５】
この場合、圧電材料からなるアクチュエータ層を有するアダプティブミラーとしてＥＵＶシステムの１つ又は複数のミラーを構成することも知られており、その場合、この圧電層に対して両側に配置された電極に電圧を印加することにより、強度が局所的に変わる電界が圧電層において発生する。圧電層が局所変形する場合、アダプティブミラーの反射積層体も変形する結果として、例えば、結像収差を（場合によっては時間的に変化する結像収差も）電極の適当な駆動により少なくとも部分的に補償することができる。
【０００６】
光学収差の補償に用いられる上記圧電層に関して、原理上は、電極に印加される特定の電圧により、いずれの場合も予測的にアダプティブミラーの圧電層の、したがって反射積層体の最大限の比例変形も得られることが望ましい。電圧依存的に得られる圧電層の材料の線膨張を特徴付ける係数は、ｄ３３係数とも称し、光学有効面に対して垂直な方向の線膨張を引き起こす誘電テンソルの該当成分に対応する。
【０００７】
しかしながら、ここで実際に起こる問題は、光学有効面に対して垂直な方向の上記線膨張が、（実質的に体積を保存する）圧電材料の場合にその横方向の収縮をもたらすことであり、この作用は、ｄ３１係数又は誘電テンソルの対応成分により記述することができる。
【０００８】
上記作用は、図７ａ〜図７ｅの概略図で説明されており、図中ではミラー基板を「７０」、圧電層を「７１」で示す（図中、さらに他の機能層の図示は簡単のために省いてある）。電界の印加時（図７ｂ）に圧電層７１内で横方向に生じる機械的応力（図７ｃ）は、（圧電層７１に比べてより柔軟又は軟質な）取り付け固定されたミラー基板７０（図７ｃ）にさらに伝達され、ミラー基板７０が圧電層７１から離れる方向に向かって降伏する（図７ｄ）。図７ｅに示すように、上記作用は、最終的にはミラー基板７０内への圧電層７１の押し込みをもたらし、最終的には、電界の印加から得られる全体形状効果がｄ３３係数で記述される線膨張に比べてその分だけ低下するという悪影響がある。
【０００９】
実際に起こるさらに別の問題は、例えば図１に示す構成を有するアダプティブミラーで最終的に達成可能な設定精度が、圧電層１６内で生じるヒステリシス効果により制限されることである。ここでの「ヒステリシス」は、印加電圧の特定の値について最終的に達成される撓み（光学有効面に対して垂直な方向の圧電層の「変位」に対応する）が履歴に依存する、換言すれば、（例えば、図５に示す図式に従った）ある電圧範囲を循環的に通過すると、印加電圧の値に対して「往路」及び「復路」で撓み又は変位の値が異なることを意味するものとする。
【００１０】
したがって、概して、アダプティブミラーの高い設定精度と共に十分に大きな撓みを実現するのは実際には難題である。
【００１１】
従来技術に関して、例として特許文献１及び特許文献２を参照されたい。
【先行技術文献】
【特許文献】
【００１２】
【特許文献１】独国特許出願公開第１０  ２０１３  ２１９  ５８３号明細書
【特許文献２】独国特許出願公開第１０  ２０１５  ２１３  ２７３号明細書
【発明の概要】
【発明が解決しようとする課題】
【００１３】
本発明の目的は、高い設定精度と共に十分に大きな撓みの実現を可能にする、マイクロリソグラフィ投影露光装置用のミラー及びデフォーマブルミラーの作動方法を提供することである。
【課題を解決するための手段】
【００１４】
この目的は、独立特許請求項の特徴により達成される。
【００１５】
光学有効面を有する、マイクロリソグラフィ投影露光装置用の本発明によるミラーは、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、上記圧電層は、カラム境界により相互に空間的に分離された複数のカラムを有し、
上記カラムの平均カラム径が、０．１μｍ〜５０μｍの範囲にある。
【００１６】
一実施形態によれば、それぞれ相互に隣接するカラムの平均カラム間隔は、平均カラム径の２％〜３０％の範囲にある。
【００１７】
本発明は、まず、アダプティブミラーに存在し且つ局所的に可変の変形を発生させる電界を印加されることが可能な圧電層が、通常は完全に均質とはならず、各製造プロセスに応じて複数の結晶カラムからなる一種の「カラム構造」で構成されるという所見から出発している。
【００１８】
こうした見識から、本発明は、特に、一方ではアダプティブミラーで実現できる変位と他方では達成可能な設定精度との間の最善の妥協に達するように上記カラムの平均カラム径を適当な方法で選択するという概念に基づく。
【００１９】
第１に、光学有効面に対して垂直な方向の変位又は線膨張に関する限り、本発明は、前述のようなミラー基板内への圧電層の押し込みの効果（すなわち、上記「押し込み効果」）を、原理上は平均カラム径の最小値により低減するか又はほぼなくすことができるという考えから出発している。これは、圧電層が比較的小さなカラム（例えば約０．５μｍの平均径を有する）からなる場合に上記カラムが横方向に略自由な移動度を示し、したがってミラー基板内への圧電層の押し込みを引き起こし得る大きな機械的応力が隣接カラム間で伝達されないことにより説明できる。
【００２０】
他方では、アダプティブミラーで達成可能な設定精度に関する限り、本発明は、逆に平均カラム径の値が比較的大きいと、同じく前述の上記設定精度を制限するヒステリシス効果に関して有利であるという考えから出発している。この状況は、上記ヒステリシス効果が、隣接カラム間で又はカラム境界で起こる摩擦効果によりある程度は引き起こされ、したがって平均カラム径が小さいことにより特に多数の摩擦面が圧電層内にある場合には特に顕著であることに起因する。
【００２１】
結果として、そこで上記考察から、本発明は、アダプティブミラーで達成される変位及び達成可能な設定精度の両方がそれぞれに必要な仕様を満たすことができるように、平均カラム径に適した妥協値又は値範囲を選択するという原理を含む。
【００２２】
一実施形態によれば、カラムの平均カラム径と高さとの比が、５０：１〜１：２００の範囲、特に１０：１〜１：１０の範囲にある。
【００２３】
本発明はさらに、光学有効面を有する、マイクロリソグラフィ投影露光装置用のミラーであって、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、上記圧電層は、カラム境界により相互に空間的に分離された複数のカラムを有し、
上記カラムの平均カラム間隔が、平均カラム径の２％〜３０％の範囲にあるミラーに関する。
【００２４】
本発明はさらに、光学有効面を有する、マイクロリソグラフィ投影露光装置用のミラーであって、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、上記圧電層は、カラム境界により相互に空間的に分離された複数のカラムを有し、
カラムの平均カラム径と高さとの比が、５０：１〜１：２００の範囲、特に１０：１〜１：１０の範囲にあるミラーに関する。
【００２５】
一実施形態によれば、圧電層は、平均カラム径に関して３０％以上相互に異なる少なくとも２つの領域を有する。
【００２６】
本発明の実施形態では、この場合、上記２つの領域は、圧電層の異なる層プライに対応することができ、上記層プライの第１層プライが、上記層プライの第２層プライよりもミラー基板の近くに配置される。
【００２７】
好ましくは、この場合、第１層プライは、平均カラム径が小さい方の領域を有する。この構成には、第２層プライに対して平均カラム径が比較的小さいことにより、上記第１層プライが比較的柔軟に働き、したがって比較的大きな平均カラム径を有する第２層プライとミラー基板との間での積層体の方向の機械的結合を低減するという利点がある。同時に、第２層プライにおけるカラム境界の数が少ないことにより第２層プライでヒステリシス寄与の低減が達成され得る。
【００２８】
本発明のさらに他の実施形態では、相互に異なる平均カラム径を有する２つの領域は、圧電層の同一の層プライ内に位置し且つ相互に横方向に分離された領域を構成することもできる。この構成は、アダプティブミラーが含む領域では、通常は例えば上述の「押し込み効果」の悪影響が現れる程度が領域毎に異なるという状況を考慮でき、本発明によれば、例えば、「静定性」が高いことによりこの押し込み効果の出現が比較的小さい領域（この領域は、単なる例として、エッジ領域及び／又はブシュ等のコンポーネントで機械的に支持されたミラーの領域であり得る）では、この点でヒステリシス効果の制限の強化、したがって設定精度の向上を達成するために平均カラム径を対応して大きく選択することができる。
【００２９】
本発明はさらに、光学有効面を有する、マイクロリソグラフィ投影露光装置用のミラーであって、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、上記圧電層は、カラム境界により相互に空間的に分離された複数のカラムを有し、
圧電層は、平均カラム径に対して３０％以上相互に異なる少なくとも２つの領域を有するミラーに関する。
【００３０】
一実施形態によれば、圧電層は、平均カラム径に関して４０％以上、より詳細には５０％以上相互に異なる少なくとも２つの領域を有する。
【００３１】
一実施形態によれば、圧電層は、平均カラム間隔に関して１０％以上、特に２０％以上相互に異なる少なくとも２つの領域を有する。
【００３２】
本発明はさらに、光学有効面を有する、マイクロリソグラフィ投影露光装置用のミラーであって、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、上記圧電層は、カラム境界により相互に空間的に分離された複数のカラムを有し、
圧電層は、平均カラム間隔に関して１０％以上、特に２０％以上相互に異なる少なくとも２つの領域を有するミラーに関する。
【００３３】
他の用途では、本発明によるミラーを例えばマスク計測装置で使用又は利用することもできる。
【００３４】
一実施形態によれば、ミラーは、３０ｎｍ未満、特に１５ｎｍ未満の作動波長用に設計される。しかしながら、本発明はそれに制限されるのではなく、さらなる用途において、ＶＵＶ領域の（例えば、２００ｎｍ未満の）作動波長を有する光学系で本発明を有利に実現することもできる。
【００３５】
本発明はさらに、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備えたデフォーマブルミラーの作動方法であって、
ミラーの変形挙動に対する予想ヒステリシス寄与を決定するステップであって、上記ヒステリシス寄与により、第１電極装置及び／又は第２電極装置への所定の電圧分布Ｕ（ｘ，ｙ）の印加時の光学有効面に対する表面法線に沿った圧電層の線膨張が、圧電層の該当線膨張係数ｄ３３（ｘ，ｙ）と電圧の各値との積からずれるステップと、
上記ヒステリシス寄与が少なくとも部分的に補償されるように第１電極装置及び／又は第２電極装置に修正電圧分布を印加するステップと
を含む方法にも関する。
【００３６】
一実施形態によれば、予想ヒステリシス寄与を、ミラーのヒステリシス挙動を予め測定した後にモデルベースで決定する。
【００３７】
一実施形態によれば、予想ヒステリシス寄与を、圧電層の誘電率の測定に基づいて決定する。
【００３８】
一実施形態によれば、本方法は、第１電極装置及び／又は第２電極装置にバイアス電圧を印加するステップを含む。
【００３９】
一実施形態によれば、圧電層のワイス磁区を整列させる目的でミラーの起動前又は／及び少なくとも１回の作動休止中に光学有効面に対する表面法線の方向に沿って単極交番電界を発生させる。
【００４０】
本発明はさらに、デフォーマブルミラーの作動方法であって、ミラーは、
ミラー基板と、
光学有効面に入射した電磁放射を反射する反射積層体と、
少なくとも１つの圧電層であり、ミラー基板と反射積層体との間に配置され、圧電層に対して反射積層体側に位置する第１電極装置及び圧電層に対してミラー基板側に位置する第２電極装置により局所的に可変の変形を発生させる電界を印加されることが可能な少なくとも１つの圧電層と
を備え、圧電層のワイス磁区を整列させる目的でミラーの起動前又は／及び少なくとも１回の作動休止中に光学有効面に対する表面法線の方向に沿って単極交番電界を発生させる方法に関する。
【００４１】
単極交番電界の周波数は、例えば１ＭＨｚ〜１００ＭＨｚの間隔であり得る。
【００４２】
本発明はさらに、上述の特徴を有する少なくとも１つのミラーを備えたマイクロリソグラフィ投影露光装置用の照明装置又は投影レンズに関し、マイクロリソグラフィ投影露光装置にも関する。
【００４３】
本発明のさらに他の構成は、説明及び従属請求項から得ることができる。
【００４４】
添付図面に示す例示的な実施形態に基づいて、本発明を以下でより詳細に説明する。
【図面の簡単な説明】
【００４５】
【図１】本発明の一実施形態によるアダプティブミラーの構成を説明する概略図を示す。
【図２】一態様による本発明の基礎となる概念を説明する図を示す。
【図３】本発明のさらに別の実施形態を説明する概略図を示す。
【図４】本発明のさらに別の実施形態を説明する概略図を示す。
【図５】本発明の基礎となるさらに別の概念を説明する図を示す。
【図６】ＥＵＶでの動作用に設計されたマイクロリソグラフィ投影露光装置の可能な構成を説明する概略図を示す。
【図７ａ】本発明が扱う従来のアダプティブミラーで起こる問題を説明する概略図を示す。
【図７ｂ】本発明が扱う従来のアダプティブミラーで起こる問題を説明する概略図を示す。
【図７ｃ】本発明が扱う従来のアダプティブミラーで起こる問題を説明する概略図を示す。
【図７ｄ】本発明が扱う従来のアダプティブミラーで起こる問題を説明する概略図を示す。
【図７ｅ】本発明が扱う従来のアダプティブミラーで起こる問題を説明する概略図を示す。
【発明を実施するための形態】
【００４６】
図１は、本発明によるミラーの例示的な構成を説明する概略図を示す。ミラー１０は、特にミラー基板１２を備え、ミラー基板１２は、任意の所望の適当なミラー基板材料から作製される。適当なミラー基板材料は、例えば二酸化チタン（ＴｉＯ２）でドープした石英ガラスであり、使用可能な材料は、単なる例として（本発明をそれに制限することなく）、商品名ＵＬＥ（登録商標）（Corning Inc.製）又はＺｅｒｏｄｕｒ（登録商標）（Schott AG製）で市販されているものである。さらに、ミラー１０は、原理上は自体公知の形で反射積層体２１を有し、反射積層体２１は、図示の実施形態では、単なる例としてモリブデン−ケイ素（Ｍｏ−Ｓｉ）積層体を含む。本発明をこの積層体の特定の構成に制限することなく、単なる例としての適当な一構成は、それぞれ層厚２．４ｎｍのモリブデン（Ｍｏ）層及びそれぞれ層厚３．３ｎｍのケイ素（Ｓｉ）層を含む層系の約５０個のプライ又は層パケットを含み得る。
【００４７】
ミラー１０は、特に光学系のＥＵＶミラー、特にマイクロリソグラフィ投影露光装置の投影レンズ又は照明装置のＥＵＶミラーであり得る。
【００４８】
光学系の動作中にミラー１０の光学有効面１１に電磁ＥＵＶ放射が当たる（図１に矢印で示す）結果として、光学有効面１１に不均一に入射する放射の吸収から生じる温度分布によりミラー基板１２の体積変化が不均一になり得る。このような望ましくない体積変化を補正するために、又はマイクロリソグラフィ投影露光装置の動作中に起こる他の収差を補正するために、以下でより詳細に説明するようにミラー１０はアダプティブ設計である。この目的で、本発明によるミラー１０は、例示的な実施形態ではチタン酸ジルコン酸鉛（Ｐｂ（Ｚｒ，Ｔｉ）Ｏ３、ＰＺＴ）から作製される圧電層１６を有する。さらに他の実施形態では、圧電層１６は、他の何らかの適当な材料（例えば、窒化アルミニウム（ＡｌＮ）、窒化アルミニウムスカンジウム（ＡｌＳｃＮ）、マグネシウムニオブ酸鉛（ＰｂＭｇＮｂ）、又はバナジウムドープ酸化亜鉛（ＺｎＯ））からも作製され得る。圧電層１６は、例えば５μｍ未満の厚さ、より詳細には１μｍ〜４μｍの範囲の厚さを有し得る。実施形態では、圧電層１６の性能は、ニオブ酸カルシウム層（ＣａＮｂＯ３層）を積層体の適当な場所に導入することにより向上させることができる。性能向上は、ここでは好ましくは圧電層１６の［００１］結晶方向の成長により達成される。
【００４９】
電極装置が、圧電層１６の上下にそれぞれ位置し、これらの電極装置により、局所的に可変の変形を発生させる電界をミラー１０に印加することが可能である。上記電極装置のうち、ミラー基板１２側の第２電極装置は、一定の厚さの連続した平面電極１４として構成される一方で、第１電極装置は複数の電極２０を有し、そのそれぞれに、電極１４に対する電圧をリード線１９により印加することが可能である。電極２０は、共通の平滑化層１８に埋め込まれ、平滑化層１８は、例えば石英（ＳｉＯ２）から作製され、電極２０から形成された電極装置を水平にするよう働く。
【００５０】
さらに、図１に示すミラー１０は、ミラー基板１２とミラー基板１２側の下部電極１４との間に任意の接着層１３（本例ではチタンＴｉからなる）を備える。さらに、「１５」は、ミラー基板１２側の電極１４と圧電層１６との間にあるバッファ層を示す。当該バッファ層１５は、最適な結晶構造のＰＺＴの成長をさらに支持するよう働くと共に耐用寿命にわたって圧電層１６の一貫した偏光特性を確保するよう働き、例えばＬａＮｉＯ３から作製され得る。
【００５１】
図１によれば、ミラー１０はさらにメディエータ層１７を有する。当該メディエータ層１７は、電極２０（説明のためだけに図１に平面図で示す）と直接電気的に接触する。上記メディエータ層１７は、電位に関して電極２０間を「媒介する」よう働き、低い導電率（好ましくは２００ジーメンス／メートル（Ｓ／ｍ）未満）しか有しない結果として、隣接電極６０間の電位差がメディエータ層１７で実質的に下がる。
【００５２】
ミラー１０又は当該ミラー１０を備えた光学系の動作中に、圧電層１６の領域に形成される電界により電極１４、２０に電圧を印加すると、上記圧電層１６が撓む。このように、光学収差の補償のためのミラー１０の駆動を達成することが可能である。
【００５３】
既に前述したように、製造プロセスに応じて、圧電層は通常は完全に均質とはならず、複数の結晶カラムからなる一種の「カラム構造」で構成される。この場合、製造プロセスの多様なパラメータにより意図的に平均カラム径に影響を及ぼす又は平均カラム径を制御することが可能であり、これに関しては特に、レーザ堆積法で設定されたレーザクロック周波数、成長プロセス中のミラー基板温度、ミラー基板と圧電層との間にある成長層の構成、及びコーティング中のチャンバ内のガス組成に言及すべきである。この場合、最終的に確定される結晶カラムの平均サイズに、上述のパラメータの１つ又は複数により意図的に影響を及ぼすことができる。
【００５４】
本発明によれば、続いて、図２の図に概略的に示すように、平均カラム径が大きくなるほど大きくなる「押し込み効果」と平均カラム径が大きくなるほど小さくなるヒステリシス効果との両方を考慮に入れるように平均カラム径に影響を与える。
【００５５】
この点で、平均カラム径に対するヒステリシス効果の依存（点線）と平均カラム径に対する押し込み効果の依存（破線）との両方に関する例示的な定性プロファイルを図２の図に示す。図２に示すように、印を付けた値間隔に平均カラム径を本発明により意図的に設定する結果として、両方の効果（すなわち、ヒステリシス効果及び押し込み効果の両方）が各仕様の所定の閾値を下回る。
【００５６】
図３及び図４は、本発明によるアダプティブミラーにある圧電層のさらに他の可能な構成を説明する非常に簡略化した概略図を示し、これらの実施形態には圧電層の種々の領域があり、これらの領域は平均カラム径に関して相互に大きく（特に４０％以上、より詳細には５０％以上）異なる。これは、アダプティブミラーの特定の実施形態によっては、例えば、（例えば、該当領域におけるミラー基板の機械的支持が強力であることにより）上記「押し込み効果」があまり重大でない領域があり得るので、そのような領域ではヒステリシス効果を減じて設定精度を向上させるのに有利なように大きな平均カラム径を選択できることを考慮したものであり得る。この点で、図３の例示的な場合には、圧電層３０が、圧電層３０又はアダプティブミラーの径方向外縁領域に、さらに径方向内側に位置する第１領域３２に比べて大きな平均カラム径を有する領域３２を有する。
【００５７】
図４によれば、異なる平均カラム径を有する圧電層４０の上記領域は、圧電層の異なる層プライに対応し、図示の例示的な実施形態では、第２層プライ４２よりもミラー基板の近くに配置された第１層プライ４１は、平均カラム径が比較的小さいことにより比較的柔軟になり、したがって第２層プライ４２とミラー基板（図示せず）との間の積層体の方向の機械的結合を低減する。結果として、図４における構成の場合にはこのように、第１に上記「押し込み効果」が軽減され、第２に第２層プライにおけるカラム境界の数が少ないことにより第２層プライでヒステリシス寄与の低減が達成される。
【００５８】
本発明のさらに別の態様によれば、図２〜図４を参照して上述したような圧電層内の平均カラム径の設定に加えて又はその代替として、圧電層の上記ヒステリシス寄与を低減し、したがってアダプティブミラーで達成される設定精度を向上させるために、１つ又は複数のさらに他の適当な措置が実施される。
【００５９】
これらの措置のうち第１のものは、ヒステリシスのモデルベース予測を含み、結果として作動精度の向上を達成するために、この予測の過程で得られた結果はいずれの場合もアダプティブミラーで実現される駆動変位に最初から組み込まれる。この場合、特にコンポーネント（すなわち、アダプティブミラー又は圧電層のコンポーネント）のヒステリシス挙動の測定に基づいて、対応するモデルで特性パラメータを決定し処理することができ、ヒステリシス予測に適したモデルは（本発明をそれに制限することなく）、例えばＰｒｅｉｓａｃｈモデル、Ｐｒａｎｄｔｌ−Ｉｓｈｌｉｎｓｋｉｉモデル、Ｄｕｈｅｍモデル、Ｂｏｕｃ−Ｗｅｎモデル、Ｃｏｌｅｍａｎ−Ｈｏｄｇｄｏｎモデル、及びＪｉｌｅｓ−Ａｔｈｅｒｔｏｎモデルである。
【００６０】
さらに他の実施形態では、この場合も修正電圧分布を電極装置に対応して印加することによりヒステリシス寄与の少なくとも部分的な補償を達成するために、圧電層の誘電率の測定に基づいて予想ヒステリシス寄与を実施することもできる。この場合、本発明は、一方では圧電伸縮と他方では誘電率変化との間の線形関係を利用し、この点で、Y. Ishikiriyamaの「Improvement of Self-sensing Piezoelectric Actuator Control Using Permittivity Change Detection」, Journal of Advanced Mechanical Design, Systems and Manufacturing, Volume 4, No. 1, 2010, pages 143-149を参照されたい。
【００６１】
さらに他の実施形態では、バイアス電圧を各電極装置に印加することができる。これにより、アダプティブミラーを実際に起動する前のいわゆるワイス磁区の整列、したがってヒステリシス効果の低減を達成することが可能である。
【００６２】
このような「バイアス電圧」は、本発明によるアダプティブミラーの作動前に又は作動休止中に印加することができる。さらに、図５によれば、このような「バイアス電圧」は、アダプティブミラーの作動中に連続的に維持することもできる。さらに、ワイス磁区の整列、したがってヒステリシス効果の低減は、冷却ステップにおいて圧電層の作製中に「バイアス電圧」を圧電層に印加することにより達成することもできる。
【００６３】
バイアス電圧の設定値は、特に実際に駆動に用いられる電圧値を超え得る。図５に示すように、望ましくないヒステリシス効果に関して改善される「作動点」を、適当な電圧の印加により選択することもできる。この点で、単なる例として、図５によれば、曲線「Ｃ」に従った電圧範囲から曲線「Ｄ」に従った電圧範囲に変更することにより、非線形曲線プロファイルを利用して、ヒステリシスの低減が同じく得られる変位減少の効果を上回ることができ、したがって換言すれば、「表面変形の設定ナノメートルあたりのヒステリシス幅が効果的に小さくなる。
【００６４】
「バイアス電圧」及び変形有効可変駆動電圧の相互作用において、可変電圧部分を０Ｖ〜所定の最大値に設定することが可能である。代替として、可変電圧が所定の最小値〜最大値（ゼロ以外）であるように、又はその最大値が０Ｖであり負の電圧範囲にあるように、設計を行うことができる。例えば、「バイアス電圧」は５０Ｖとすることができ、可変電圧は０Ｖ〜５０Ｖで変わることができる。その代替として、バイアス電圧を７０Ｖに選択することができ、可変電圧を−２０Ｖ〜＋３０Ｖとすることができる。さらに、この例では、バイアス電圧は１００Ｖとすることができ、可変電圧は−５０Ｖ〜０Ｖとすることができる。
【００６５】
図５において、これらの状況のそれぞれは、Ｄで示す曲線に囲まれた範囲での作動を表すことができる。相違点は、比較的高い「バイアス電圧」が磁区又はワイス磁区の強い分極を常に、すなわち作動休止時を含めて維持することである。しかしながら、常に高い電圧では、構造の絶縁に対する要求が大きい可能性がある。作動点は、特定の用途でどの側面がより重要であるかに応じて選択される。完全な作動範囲（すなわち、図５において曲線Ｄに囲まれた領域）及び「バイアス電圧」の各選択が作動の現状に適合される可能性がある。この点で、必要な振幅が小さい場合、低ヒステリシス、したがって高精度を重視することができ、比較的高い「バイアス電圧」が用いられる傾向がある。これに対して、精度要件が緩く大きな変位が必要とされる場合、比較的低い「バイアス電圧」が選択される。
【００６６】
さらに他の実施形態では、アダプティブミラーの起動前及び／又は作動休止中に、ワイス磁区の整列のために単極交番電界を印加することができる。上記単極交番電界の周波数は、例えば１ＭＨｚ〜１００ＭＨｚの間隔であり得る。
【００６７】
図６は、ＥＵＶでの動作用に設計され本発明を実現できる例示的な投影露光装置の概略図を示す。
【００６８】
図６によれば、ＥＵＶ用に設計された投影露光装置６００の照明装置が、視野ファセットミラー６０３及び瞳ファセットミラー６０４を含む。プラズマ光源６０１及びコレクタミラー６０２を含む光源ユニットからの光は、視野ファセットミラー６０３へ指向される。第１望遠鏡ミラー６０５及び第２望遠鏡ミラー６０６が、瞳ファセットミラー６０４の下流の光路に配置される。偏向ミラー６０７が光路の下流に配置され、当該偏向ミラーは、入射した放射線を６つのミラー６５１〜６５６を含む投影レンズの物体平面の物体視野へ指向させる。物体視野の場所では、反射構造担持マスク６２１がマスクステージ６２０上に配置され、上記マスクは投影レンズを用いて像平面に結像され、像平面では、感光層（フォトレジスト）でコーティングされた基板６６１がウェーハステージ６６０上に位置する。
【００６９】
投影レンズのミラー６５１〜６５６のうち、単なる例として光ビーム経路に対して投影レンズの初期領域に配置されたミラー６５１及び６５２を、本発明に従って構成することができるが、それは、上記ミラー６５１、６５２において総反射損失がまだ比較的低く、したがって光強度が比較的高いことにより、熱変形の補償効果の達成が特に顕著だからである。
【００７０】
本発明は特定の実施形態に基づいて説明されているが、例えば個々の実施形態の特徴の組み合わせ及び／又は交換により、多数の変形形態及び代替的な実施形態が当業者には明らかとなるであろう。したがって、当業者には言うまでもなく、かかる変形形態及び代替的な実施形態も本発明に包含され、本発明の範囲は、添付の特許請求の範囲及びその等価物の意味の範囲内にのみ制限される。
【図１】
2021531510.tif 000003
【図２】
2021531510.tif 000004
【図３】
2021531510.tif 000005
【図４】
2021531510.tif 000006
【図５】
2021531510.tif 000007
【図６】
2021531510.tif 000008
【図７ａ】
2021531510.tif 000009
【図７ｂ】
2021531510.tif 000010
【図７ｃ】
2021531510.tif 000011
【図７ｄ】
2021531510.tif 000012
【図７ｅ】
2021531510.tif 000013
【国際調査報告】
2021531510.tif 000014
2021531510.tif 000015
2021531510.tif 000016
2021531510.tif 000017
2021531510.tif 000018
2021531510.tif 000019